【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
第１の量のインク滴を吐出する第１の吐出口と前記第１の量より少ない第２の量のインク滴を吐出する第２の吐出口とが設けられた吐出口面を有し、記録媒体に記録動作を行う記録ヘッドと、
前記第１の吐出口及び前記第２の吐出口をキャッピングする１つのキャップと、
前記キャップと接続され前記キャップが前記吐出口面をキャッピングした状態で前記記録ヘッドからインクを吸引する吸引手段と、
記録命令に基づいて、前記記録ヘッドに、少なくとも前記第２の吐出口を用いて記録媒体に記録する第１の記録動作、および前記第２の吐出口は用いず前記第１の吐出口を用いて記録媒体に記録する第２の記録動作、を含む複数の記録動作のうちのいずれの記録動作を行わせるか判断する判断手段と、
前記判断手段によって前記第１の記録動作を行うと判断した場合は、当該記録動作の前に、前記吸引手段に第１の強度でインクを吸引する第１の吸引動作と前記第１の強度より高い第２の強度でインクを吸引する第２の吸引動作とを行わせる制御手段と、
を備えるインクジェット記録装置であって、
前記制御手段は、前記判断手段によって前記第２の記録動作を行うと判断した場合は、当該記録動作の前に前記吸引手段に前記第２の吸引動作を行わずに前記第１の吸引動作を行わせ、当該記録動作を終了した後に前記第２の吸引動作を行う事前吸引動作を前記吸引手段に行わせることを特徴とするインクジェット記録装置。
【請求項２】
過去に前記第１の記録動作を行った履歴情報を記憶する記憶手段を備え、
前記制御手段は、前記判断手段によって前記第２の記録動作を行うと判断した場合は、前記履歴情報に基づいて前記吸引手段に前記事前吸引動作を行わせることを特徴とする請求項１に記載のインクジェット記録装置。
【請求項３】
前記履歴情報は前記第１の記録動作を行ったジョブ数であり、前記制御手段は前記ジョブ数が閾値を超えた場合は前記吸引手段に前記事前吸引動作を行わせ、前記ジョブ数が前記閾値未満の場合は前記吸引手段に前記事前吸引動作を行わせないことを特徴とする請求項２に記載のインクジェット記録装置。
【請求項４】
前記履歴情報は前記第１の記録動作を行ったジョブ数であり、前記記憶手段は前記第１の記録動作及び前記第２の記録動作を行った全ジョブ数を記憶し、前記制御手段は前記全ジョブ数が所定値を超えて且つ前記ジョブ数が閾値を超えた場合、前記吸引手段に前記事前吸引動作を行わせることを特徴とする請求項２に記載のインクジェット記録装置。
【請求項５】
前記履歴情報は前記第１の記録動作及び前記第２の記録動作を行った全ジョブ数に対する前記第１の記録動作を行ったジョブ数の比率であり、前記制御手段は前記比率が閾値を超えた場合は前記吸引手段に前記事前吸引動作を行わせ、前記比率が前記閾値未満の場合は前記吸引手段に前記事前吸引動作を行わせないことを特徴とする請求項２に記載のインクジェット記録装置。
【請求項６】
前記履歴情報は前記第１の記録動作及び前記第２の記録動作を行った全ジョブ数に対する前記第１の記録動作を行ったジョブ数の比率であり、前記制御手段は前記全ジョブ数が所定値を超えて且つ前記比率が閾値を超えた場合、前記吸引手段に前記事前吸引動作を行わせることを特徴とする請求項２に記載のインクジェット記録装置。
【請求項７】
前記ジョブ数及び前記全ジョブ数は所定期間内に行った前記第１の記録動作と前記第２の記録動作から算出されることを特徴とする請求項３から６のいずれか１項に記載のインクジェット記録装置。
【請求項８】
前記履歴情報は前記第１の記録動作を行ったページ数であり、前記制御手段は前記ページ数が閾値を超えた場合は前記吸引手段に前記事前吸引動作を行わせ、前記ページ数が前記閾値未満の場合は前記吸引手段に前記事前吸引動作を行わせないことを特徴とする請求項２に記載のインクジェット記録装置。
【請求項９】
前記履歴情報は前記第１の記録動作を行ったページ数であり、前記記憶手段は前記第１の記録動作及び前記第２の記録動作を行った全ページ数を記憶し、前記制御手段は前記全ページ数が所定値を超えて且つ前記ページ数が閾値を超えた場合、前記吸引手段に前記事前吸引動作を行わせることを特徴とする請求項２に記載のインクジェット記録装置。
【請求項１０】
前記履歴情報は前記第１の記録動作及び前記第２の記録動作を行った全ページ数に対する前記第１の記録動作を行ったページ数の比率であり、前記制御手段は前記比率が閾値を超えた場合は前記吸引手段に前記事前吸引動作を行わせ、前記比率が前記閾値未満の場合は前記吸引手段に前記事前吸引動作を行わせないことを特徴とする請求項２に記載のインクジェット記録装置。
【請求項１１】
前記履歴情報は前記第１の記録動作及び前記第２の記録動作を行った全ページ数に対する前記第１の記録動作を行ったページ数の比率であり、前記制御手段は前記全ページ数が所定値を超えて且つ前記比率が閾値を超えた場合、前記吸引手段に前記事前吸引動作を行わせることを特徴とする請求項２に記載のインクジェット記録装置。
【請求項１２】
前記ページ数及び前記全ページ数は所定期間内に行った前記第１の記録動作と前記第２の記録動作から算出されることを特徴とする請求項９から１１のいずれか１項に記載のインクジェット記録装置。
【請求項１３】
前記吸引手段は、インクを吸引するためのポンプと、前記キャップと前記ポンプとの間に配され前記キャップとポンプが連通する開状態と連通しない閉状態とに切替可能な開閉弁と、を有し、前記第１の吸引動作の際は前記開閉弁を前記開状態にして前記ポンプを駆動することによって前記記録ヘッドからインクを吸引し、前記第２の吸引動作の際は前記開閉弁を前記閉状態にして前記ポンプを駆動してから前記開閉弁を前記開状態に切り替えることによって前記記録ヘッドからインクを吸引することを特徴とする請求項１から１２のいずれか１項に記載のインクジェット記録装置。
【請求項１４】
前記第２の吐出口の直径は前記第１の吐出口の直径より小さいことを特徴とする請求項１から１３のいずれか１項に記載のインクジェット記録装置。
【請求項１５】
第１の量のインク滴を吐出する第１の吐出口と前記第１の量より少ない第２の量のインク滴を吐出する第２の吐出口とが設けられた吐出口面を有し、記録媒体に記録動作を行う記録ヘッドと、
前記第１の吐出口及び前記第２の吐出口をキャッピングする１つのキャップと、を備えるインクジェット記録装置のクリーニング方法であって、
前記キャップと接続され前記キャップが前記吐出口面をキャッピングした状態で前記記録ヘッドからインクを吸引する吸引工程と、
記録命令に基づいて、前記記録ヘッドに、少なくとも前記第２の吐出口を用いて記録媒体に記録する第１の記録動作、及び前記第２の吐出口は用いず前記第１の吐出口を用いて記録媒体に記録する第２の記録動作を含む複数の記録動作のうちのいずれの記録動作を行わせるか判断する第１の判断工程と、
前記第１の判断工程によって前記第１の記録動作を行うと判断した場合は、当該記録動作の前に、第１の強度でインクを吸引する第１の吸引動作と前記第１の強度より高い第２の強度でインクを吸引する第２の吸引動作とを行わせる第１の回復工程と、
前記第１の判断工程によって前記第２の記録動作を行うと判断した場合は、当該記録動作の前に、前記第２の吸引動作を行わせず前記第１の吸引動作を行わせ、当該第２の記録動作の後に前記第２の吸引動作を行わせる第２の回復工程と、を備えることを特徴とするクリーニング方法。
【手続補正２】
【補正対象書類名】明細書
【補正対象項目名】０００６
【補正方法】変更
【補正の内容】
【０００６】
本発明は、上記目的を達成するため、第１の量のインク滴を吐出する第１の吐出口と前記第１の量より少ない第２の量のインク滴を吐出する第２の吐出口とが設けられた吐出口面を有し、記録媒体に記録動作を行う記録ヘッドと、前記第１の吐出口及び前記第２の吐出口をキャッピングする１つのキャップと、前記キャップと接続され前記キャップが前記吐出口面をキャッピングした状態で前記記録ヘッドからインクを吸引する吸引手段と、記録命令に基づいて、前記記録ヘッドに、少なくとも前記第２の吐出口を用いて記録媒体に記録する第１の記録動作、および前記第２の吐出口は用いず前記第１の吐出口を用いて記録媒体に記録する第２の記録動作、を含む複数の記録動作のうちのいずれの記録動作を行わせるか判断する判断手段と、前記判断手段によって前記第１の記録動作を行うと判断した場合は、当該記録動作の前に、前記吸引手段に第１の強度でインクを吸引する第１の吸引動作と前記第１の強度より高い第２の強度でインクを吸引する第２の吸引動作とを行わせる制御手段と、を備えるインクジェット記録装置であって、前記制御手段は、前記判断手段によって前記第２の記録動作を行うと判断した場合は、当該記録動作の前に前記吸引手段に前記第２の吸引動作を行わずに前記第１の吸引動作を行わせ、当該記録動作を終了した後に前記第２の吸引動作を行う事前吸引動作を前記吸引手段に行わせることを特徴とする。